(57)【要約】【課題】筆記時、安定して把持することができ、且つ、携帯に便利な短寸の筆記具を提供する。【解決手段】軸筒３及びキャップ６を合成樹脂により構成する。軸筒３のペン先２側にキャップ６を装着した状態の全長Ａが１２０ｍｍ以下である。キャップ６を外した状態の軸筒３の全長Ｂが７０ｍｍ以上１００ｍｍ以下である。ペン先２側から外したキャップ６を軸筒３の後端部に取り付けた状態の全長をＣとしたとき、前記Ｃが前記Ｂよりも２５ｍｍ以上長く設定される。【選択図】  図２
2006264295.tif 000002
【特許請求の範囲】
【請求項１】
軸筒のペン先側にキャップを装着した状態の全長Ａが１２０ｍｍ以下の筆記具であって、前記キャップを外した状態の軸筒の全長Ｂを７０ｍｍ以上１００ｍｍ以下に設定し、前記ペン先側から外したキャップを前記軸筒の後端部に装着した状態の全長をＣとしたとき、前記Ｃを前記Ｂよりも２５ｍｍ以上長く設定したことを特徴とする筆記具。
【請求項２】
軸筒のペン先側にキャップを装着した状態の全長Ａが１２０ｍｍ以下の筆記具であって、前記軸筒及び前記キャップを合成樹脂により構成し、前記キャップを外した状態の軸筒の全長Ｂを７０ｍｍ以上１００ｍｍ以下に設定し、前記ペン先側から外したキャップを前記軸筒の後端部に装着した状態の全長をＣとしたとき、前記Ｃを前記Ｂよりも２５ｍｍ以上長く設定したことを特徴とする筆記具。
【請求項３】
軸筒の最大外径をＥとしたとき、前記Ｅに対する前記Ｂの比Ｂ／Ｅの値が４以上１０以下である請求項１または２記載の筆記具。
【請求項４】
筆記時、軸筒の後端部にキャップを装着し、軸筒の後端部外面とキャップ内面とを嵌合させ、親指と人差し指とによって軸筒の前端部外面を挟持した際に、親指と人差し指との間の付け根部によって前記嵌合箇所の外方のキャップ外面を支持可能にしてなる請求項１、２または３記載の筆記具。
【請求項５】
軸筒の後端部外面に後方に向かうに従い外径が漸減する傾斜面を設け、キャップを軸筒の後端部に装着した際、前記傾斜面にキャップの内面を嵌合させるとともに、前記軸筒の後端部がキャップ内に挿入される長さＤを２５ｍｍ以下に設定した請求項１、２または３記載の筆記具。
【請求項６】
軸筒の後端部外面に後方に向かうに従い外径が漸減する傾斜面を設け、キャップを軸筒の後端部に装着した際、前記傾斜面にキャップの内面を嵌合させるとともに、前記軸筒の後端部がキャップ内に挿入される長さＤを２５ｍｍ以下に設定し、筆記時、親指と人差し指とにより軸筒の前端部外面を挟持した際に、親指と人差し指との間の付け根部により前記嵌合箇所の外方のキャップ外面を支持可能にしてなる請求項１、２または３記載の筆記具。
【請求項７】
軸筒の後端部にキャップを装着し、軸筒の後端部外面にキャップ内面を嵌合させたとき、前記嵌合箇所または前記嵌合箇所よりも前方に筆記具全体の重心が位置してなる請求項１乃至６のいずれかに記載の筆記具。
【発明の詳細な説明】
【技術分野】
【０００１】
本発明は、筆記具に関する。
【背景技術】
【０００２】
従来この種の筆記具において、特許文献１には、全長２５ｍｍ、ホルダーの外径が最大１３ｍｍのフィンガーボールペンが開示されている。前記従来の筆記具は、全長が短すぎ、筆記時、筆記具の外面を親指と人差し指のみで摘んで把持するものであるため、筆記具を安定して把持することが困難であり、しかも、筆記具を使用時に収納場所から見つけるのに時間がかかるおそれや、あるいは筆記具を紛失させるおそれがある。
【特許文献１】登録実用新案第３０４３４３６号
【発明の開示】
【発明が解決しようとする課題】
【０００３】
本発明は前記従来の問題点を解決するものであって、筆記時、安定して把持することができ、且つ、携帯に便利な短寸の筆記具を提供しようとするものである。尚、本発明において「前」とはペン先側を指し、「後」とは反対側を指す。
【課題を解決するための手段】
【０００４】
〔１〕本発明の筆記具１は、軸筒３のペン先２側にキャップ６を装着した状態の全長Ａが１２０ｍｍ（ミリメートル）以下の筆記具であって、前記キャップ６を外した状態の軸筒３の全長Ｂを７０ｍｍ以上１００ｍｍ以下に設定し、前記ペン先２側から外したキャップ６を前記軸筒３の後端部に装着した状態の全長をＣとしたとき、前記Ｃを前記Ｂよりも２５ｍｍ以上長く設定したこと（請求項１）を要件とする。
【０００５】
前記筆記具１（請求項１）は、全長Ａが１２０ｍｍ以下であるため、短寸の筆記具となり、非使用時、小型のバッグ（例えばハンドバッグや化粧ポーチ等）または容量の小さいポケット等に入れても嵩張らず携帯に便利である。また、キャップ６を外した状態の軸筒３の全長Ｂが７０ｍｍ以上１００ｍｍ以下であり、且つ、キャップ６を軸筒３の後端部に装着した状態の全長Ｃが前記Ｂよりも２５ｍｍ以上（好ましくは３０ｍｍ以上）長く設定されることから、筆記時、軸筒３の後端部にキャップ６を装着することにより、軸筒３の全長が延長された状態で把持でき、親指と人差し指とにより軸筒３を挟持するとともに、親指と人差し指との間の付け根部にキャップ６外面が支持され、軸筒３の安定した把持が可能となり、ストレスのない心地よい筆記使用感を得る。また、前記全長Ｂが、７０ｍｍ以上であることにより、筆記具１を収納保管場所から容易に見つけ出すことができ、筆記具１の紛失を防止できる。尚、前記全長Ａは、７５ｍｍ以上が好ましい。
【０００６】
仮に、前記Ｃと前記Ｂとの差が２５ｍｍ未満であると、筆記時、軸筒３を把持した場合、軸筒３の後端部にキャップ６を装着したとしても十分な長さの全長Ｃが得られず、短寸状態のままとなり、軸筒３の安定した把持が得られないおそれがある。
【０００７】
〔２〕また、本発明の筆記具１は、軸筒３のペン先２側にキャップ６を装着した状態の全長Ａが１２０ｍｍ（ミリメートル）以下の筆記具であって、前記軸筒３及び前記キャップ６を合成樹脂により構成し、前記キャップ６を外した状態の軸筒３の全長Ｂを７０ｍｍ以上１００ｍｍ以下に設定し、前記ペン先２側から外したキャップ６を前記軸筒３の後端部に装着した状態の全長をＣとしたとき、前記Ｃを前記Ｂよりも２５ｍｍ以上長く設定したこと（請求項２）を要件とする。
【０００８】
前記筆記具１（請求項２）は、全長Ａが１２０ｍｍ以下であるため、短寸の筆記具となり、非使用時、小型のバッグ（例えばハンドバッグや化粧ポーチ等）または容量の小さいポケット等に入れても嵩張らず携帯に便利である。また、キャップ６を外した状態の軸筒３の全長Ｂが７０ｍｍ以上１００ｍｍ以下であり、且つ、キャップ６を軸筒３の後端部に装着した状態の全長Ｃが前記Ｂよりも２５ｍｍ以上（好ましくは３０ｍｍ以上）長く設定されることから、筆記時、軸筒３の後端部にキャップ６を装着することにより、軸筒３の全長が延長された状態で把持でき、親指と人差し指とにより軸筒３を挟持するとともに、親指と人差し指との間の付け根部にキャップ６外面が支持され、軸筒３の安定した把持が可能となり、ストレスのない心地よい筆記使用感を得る。また、前記全長Ｂが、７０ｍｍ以上であることにより、筆記具１を収納保管場所から容易に見つけ出すことができ、筆記具１の紛失を防止できる。尚、前記全長Ａは、７５ｍｍ以上が好ましい。
【０００９】
仮に、前記Ｃと前記Ｂとの差が２５ｍｍ未満であると、筆記時、軸筒３を把持した場合、軸筒３の後端部にキャップ６を装着したとしても十分な長さの全長Ｃが得られず、短寸状態のままとなり、軸筒３の安定した把持が得られないおそれがある。
【００１０】
また、前記筆記具１（請求項２）は、軸筒３及びキャップ６を合成樹脂により構成したことにより、軸筒３及びキャップ６を金属により構成した場合に比べ、筆記具全体を軽量化でき持ち運びが容易となるとともに、筆記時の軸筒３を把持する際に指にかかる負担を軽減でき、しかも、低価格で提供できる。
【００１１】
〔３〕前記筆記具１（請求項１または２）において、軸筒３の最大外径をＥとしたとき、前記Ｅに対する前記Ｂの比Ｂ／Ｅの値が４以上１０以下（好ましくは３以上９以下）であること(請求項３)が好ましい。それにより、軸筒３の適正な外径を得ることができ、筆記時の安定した把持が可能となると同時に非使用時の携帯性が阻害されるおそれがない。
【００１２】
仮に、前記Ｅに対する前記Ｂの比Ｂ／Ｅの値が４未満である場合、軸筒３の外径が太くなり過ぎ、小型のバッグや容量の小さいポケット等に入れると嵩張り、携帯に不便となる。逆に、仮に、前記Ｅに対する前記Ｂの比Ｂ／Ｅの値が１０を超える場合、前記全長Ｃが十分に得られるとしても、軸筒３の外径が細くなり過ぎ、筆記時の把持が不安定となる。
【００１３】
〔４〕前記筆記具１（請求項１、２または３）において、筆記時、軸筒３の後端部にキャップ６を装着し、軸筒３の後端部外面とキャップ６内面とを嵌合させ、親指と人差し指とによって軸筒３の前端部外面を挟持した際に、親指と人差し指との間の付け根部によって前記嵌合箇所７の外方のキャップ６外面を支持可能にしてなること（請求項４）が好ましい。
【００１４】
前記筆記具１（請求項４）は、筆記時、親指と人差し指との間の付け根部が前記嵌合箇所７外方のキャップ６外面を支持することにより、筆記時、キャップ６がぐらつくおそれや、キャップ６が軸筒３の後端部から外れるおそれがない。仮に、筆記時、親指と人差し指との間の付け根部が、前記嵌合箇所７よりも後方のキャップ６外面を支持する場合、筆記時、キャップ６がぐらつくおそれや、キャップ６が軸筒３の後端部から外れるおそれがある。
【００１５】
〔５〕前記筆記具１（請求項１、２または３）において、軸筒３の後端部外面に後方に向かうに従い外径が漸減する傾斜面５１を設け、キャップ６を軸筒３の後端部に装着した際、前記傾斜面５１にキャップ６の内面を嵌合させるとともに、前記軸筒３の後端部がキャップ６内に挿入される長さＤを２５ｍｍ以下に設定した(請求項５)が好ましい。
【００１６】
前記筆記具１（請求項５）は、軸筒３の後端部外面に後方に向かうに従い外径が漸減する傾斜面５１を設け、キャップ６を軸筒３の後端部に装着した際、前記傾斜面５１にキャップ６の内面を嵌合させることにより、軸筒３の後端部の外面形状をデザインする上で、自由度が増加する。即ち、キャップ６を軸筒３の後端部に装着可能なように、例えば、軸筒３の後端部外面に、段部を介して縮径筒部を設けることや、乗り越え嵌合用の突起を形成することが不要となる。
【００１７】
また、前記筆記具１（請求項５）は、軸筒３の後端部がキャップ６内に挿入される長さＤを２５ｍｍ以下（好ましくは２０ｍｍ以下）に設定することにより、請求項１または２で特定した前記Ｃと前記Ｂとの差を容易に大きく設定できる。もし、軸筒３の後端部がキャップ６内に挿入される長さＤが２５ｍｍを超える場合、前記Ｃと前記Ｂの差を大きく確保できないおそれがある。
【００１８】
〔６〕前記筆記具１（請求項１、２または３）において、軸筒３の後端部外面に後方に向かうに従い外径が漸減する傾斜面５１を設け、キャップ６を軸筒３の後端部に装着した際、前記傾斜面５１にキャップ６の内面を嵌合させるとともに、前記軸筒３の後端部がキャップ６内に挿入される長さＤを２５ｍｍ以下に設定し、筆記時、親指と人差し指とにより軸筒３の前端部外面を挟持した際に、親指と人差し指との間の付け根部により前記嵌合箇所７の外方のキャップ６外面を支持可能にしてなること（請求項６）が好ましい。
【００１９】
前記筆記具１（請求項６）は、筆記時、親指と人差し指との間の付け根部が前記嵌合箇所７外方のキャップ６外面を支持することにより、筆記時、キャップ６がぐらつくおそれや、キャップ６が軸筒３の後端部から外れるおそれがない。仮に、筆記時、親指と人差し指との間の付け根部が、前記嵌合箇所７よりも後方のキャップ６外面を支持する場合、筆記時、キャップ６がぐらつくおそれや、キャップ６が軸筒３の後端部から外れるおそれがある。
【００２０】
前記筆記具１（請求項６）は、軸筒３の後端部外面に後方に向かうに従い外径が漸減する傾斜面５１を設け、キャップ６を軸筒３の後端部に装着した際、前記傾斜面５１にキャップ６の内面を嵌合させることにより、軸筒３の後端部の外面形状をデザインする上で、自由度が増加する。即ち、キャップ６を軸筒３の後端部に装着可能なように、例えば、軸筒３の後端部外面に、段部を介して縮径筒部を設けることや、乗り越え嵌合用の突起を形成することが不要となる。
【００２１】
また、前記筆記具１（請求項６）は、軸筒３の後端部がキャップ６内に挿入される長さＤを２５ｍｍ以下（好ましくは２０ｍｍ以下）に設定することにより、請求項１または２で特定した前記Ｃと前記Ｂとの差を容易に大きく設定できる。もし、軸筒３の後端部がキャップ６内に挿入される長さＤが２５ｍｍを超える場合、前記Ｃと前記Ｂの差を大きく確保できないおそれがある。
【００２２】
尚、前記筆記具１（請求項５及び請求項６）において、前記傾斜面５１と軸線とのなす角度αは、１度以上１０度以下（好ましくは２度以上８度以下）であることが好ましい。前記角度αが１度未満では、軸筒３の後端部がキャップ６内に深く挿入され、十分な全長Ｃを得ることができない。一方、前記角度αが１０度を越える場合、筆記時の軸筒３後端部外面とキャップ６内面との安定した圧接係止が得られず、キャップ６が軸筒３後端部から外れやすくなる。前記傾斜面５１は、円錐面、僅かな凹曲面（但し見た目には円錐面）、僅かな凸曲面（但し見た目には円錐面）のいずれであってもよい。
【００２３】
〔７〕前記筆記具１（請求項１乃至請求項６）において、軸筒３の後端部にキャップ６を装着し、軸筒３の後端部外面にキャップ６内面を嵌合させたとき、前記嵌合箇所７または前記嵌合箇所７よりも前方に筆記具全体の重心Ｇが位置してなること(請求項７)が好ましい。
【００２４】
前記筆記具１（請求項７）により、一層、筆記時の安定した把持が可能となる。仮に、軸筒３の後端部外面にキャップ６内面を嵌合させたとき、前記嵌合箇所７よりも後方に筆記具全体の重心Ｇが位置する場合、筆記時、ペン先が持ち上がる力が作用するため、親指と人差し指に負担がかかり、安定した把持が得られないおそれがある。さらに、前記軸筒３の後端部外面にキャップ６内面を嵌合させたときの筆記具全体の重心Ｇの前後の位置は、前記嵌合箇所７から前記嵌合箇所７の前方１５ｍｍの範囲（好ましくは前記嵌合箇所７から前記嵌合箇所７の前方１０ｍｍの範囲）に位置することが好ましく、それにより、確実に安定した把持が得られる。
【発明の効果】
【００２５】
請求項１の筆記具は、非使用時、小型のバッグまたは容量の小さいポケット等に入れても嵩張らず携帯に便利となる。また、請求項１の筆記具は、筆記時、軸筒の後端部にキャップを装着することにより、軸筒の安定した把持が可能となる。
【００２６】
請求項２の筆記具は、非使用時、小型のバッグまたは容量の小さいポケット等に入れても嵩張らず携帯に便利となる。また、請求項２の筆記具は、筆記時、軸筒の後端部にキャップを装着することにより、軸筒の安定した把持が可能となる。さらに、請求項２の筆記具は、筆記具全体の軽量化により持ち運びが容易となるとともに軸筒を把持する際の指にかかる負担を軽減でき、しかも、低価格で提供できる。
【００２７】
請求項３の筆記具により、より一層、筆記時の安定した把持が可能となると同時に非使用時の携帯性が満足される。
【００２８】
請求項４の筆記具により、筆記時、キャップがぐらつくおそれや、キャップが軸筒の後端部から外れるおそれがない。
【００２９】
請求項５の筆記具により、軸筒の後端部の外面形状をデザインする上で、自由度が増加する。また、前記請求項５の筆記具により、キャップを軸筒の後端部に装着した際の全長Ｃを容易に長く設定できる。
【００３０】
請求項６の筆記具により、筆記時、キャップがぐらつくおそれや、キャップが軸筒の後端部から外れるおそれがない。また、請求項６の筆記具により、軸筒の後端部の外面形状をデザインする上で、自由度が増加する。また、前記請求項６の筆記具により、キャップを軸筒の後端部に装着した際の全長Ｃを容易に長く設定できる。
【００３１】
請求項７の筆記具により、一層、筆記時の安定した把持が可能となる。
【発明を実施するための最良の形態】
【００３２】
（第１の実施の形態）
本発明の第１の実施の形態の筆記具１を図１乃至図３に示す。
【００３３】
本実施の形態の筆記具１は、軸筒３と、該軸筒３の前端部（ペン先２側）及び後端部に着脱自在に装着されるキャップ６とからなる。図１において、キャップ６は軸筒３のペン先２側に装着されている。図２において、キャップ６は軸筒３の後端部に装着されている。
【００３４】
軸筒３の前端にはペン先２が取り付けられる。本実施の形態では、ペン先２は、軸方向に延びるインキ誘導用のスリットを前端に備えた金属板製ペン体（いわゆる万年筆用ペン先）よりなる。
【００３５】
前記軸筒３は、合成樹脂（例えばポリプロピレン）の射出成形により得られる円筒体である。軸筒３は、前端にペン先２を備えた前軸４と、該前軸４の後方に連設される後軸５とからなる。軸筒３のペン先２側にキャップ６を装着した際、前記前軸４は、キャップ６によって覆われる。前記後軸５は、後方に向かうに従って次第に外径が小さくなる形状を有し、後軸５の前端に軸筒３の最大外径部が位置する。また、前記軸筒３の後端部（後軸５の後端部）外面には、後方に向かうに従い外径が次第に小さくなる形状を有する円錐面状の傾斜面５１が形成される。前記傾斜面５１には、キャップ６の開口部内壁が圧接係止（即ち嵌合）される。
【００３６】
前記キャップ６は、一端が閉塞され且つ他端が開口された有底円筒体であり、合成樹脂（例えばポリカーボネイト）の射出成形により得られる。また、キャップ６の外面には、クリップ６１が合成樹脂により一体に設けられる。尚、前記クリップ６１は金属製であってもよい。
【００３７】
図１に示すように、前記キャップ６を軸筒３のペン先２側に装着したとき、軸筒３の前軸４がキャップ６により覆われる。このとき、筆記具１の全長Ａ（キャップ６閉塞端から軸筒３後端までの長さ）は、本実施の形態では、１０３ｍｍに設定されている。それにより、全体がコンパクトとなり、小型のバッグや容量の小さいポケットに入れても嵩張らず、持ち運びが容易となる。また、図１に示すように、キャップ６を軸筒３のペン先２側に装着した際、キャップ６の開口端部が、軸筒３の最大外径部（後軸５前端）に近接配置され、キャップ６の開口端部の外径は、軸筒３の最大外径部の外径Ｅと略等しく設定されている。それにより、キャップ６開口端部の外面と軸筒３の最大外径部の外面との間に段差が殆ど視覚されないスマートな外観を得る。
【００３８】
本実施の形態では、前記軸筒３の最大外径部の外径Ｅは、１３ｍｍに設定される。前記キャップ６を外した状態の軸筒３の全長Ｂ（ペン先２前端から軸筒３後端までの長さ）は、９０ｍｍに設定される。そして、前記Ｅに対する前記Ｂの比Ｂ／Ｅの値は６．９２となる。それにより、軸筒３の適正な外径を得ることができ、筆記時の安定した把持が可能となる同時に非使用時の携帯性が阻害されるおそれがない。
【００３９】
図２に示すように、前記キャップ６を前記軸筒３の後端部に装着したとき、キャップ６の開口部内壁と軸筒３後端部外面の傾斜面５１とが圧接係合（即ち嵌合）される。また、軸筒３の後端部の外面は、キャップ６を係止するための手段（例えば、段部を介した縮径筒部や、乗り越え嵌合用の突起や凹み等）が存在せず、スマートな外観を得る。
【００４０】
また、本実施の形態では、前記キャップ６を前記軸筒３の後端部に装着したとき、筆記具１の全長Ｃ（ペン先２前端からキャップ６閉塞端までの長さ）は、１２８ｍｍに設定され、前記Ｃが前記Ｂよりも３８ｍｍ長く設定される。それにより、図３に示すように、筆記時、軸筒３の後端部にキャップ６を装着することにより、軸筒３の全長が延長された状態で把持でき、親指と人差し指とにより軸筒３を挟持するとともに、親指と人差し指との間の付け根部により、前記キャップ６の開口部内壁と軸筒３の後端部外面との圧接係合箇所７（即ち嵌合箇所）の外方のキャップ６外面を支持でき、軸筒３の安定した把持が可能となり、ストレスのない心地よい筆記使用感を得る。
【００４１】
また、本実施の形態では、前記キャップ６を前記軸筒３の後端部に装着したとき、軸筒３の後端部がキャップ６内に挿入される長さＤが１６ｍｍに設定される。それにより、キャップ６を軸筒３の後端部に装着した際の全長Ｃを容易に大きく設定できる。
【００４２】
また、本実施の形態では、前記傾斜面５１と軸線とがなす角度αが、およそ４度に設定される。それにより、軸筒３の後端部がキャップ６内に深く挿入されることがなく、十分な全長Ｃを得ることができ、しかも、筆記時の軸筒３の後端部外面とキャップ６の内面との安定した圧接係止が得られ、筆記時にキャップ６が軸筒３の後端部から容易には外れることがない。
【００４３】
また、本実施の形態において、キャップ６を軸筒３後端部に装着したとき、筆記具全体の重心Ｇが、前記キャップ６の開口部内壁と軸筒３の後端部外面との圧接係合箇所７（即ち嵌合箇所）よりも前方に位置するよう設定される。具体的には、前記キャップ６を軸筒３後端部に装着したときの筆記具全体の重心Ｇの前後方向の位置は、前記圧接係合箇所７の前端よりも４ｍｍ前方に位置される。それにより、筆記時の疲労感の少ない安定した把持が可能となる。
【００４４】
（第２の実施の形態）
本発明の第２の実施の形態の筆記具１を図４乃至図６に示す。
【００４５】
本実施の形態の筆記具１は、軸筒３と、該軸筒３の前端部（ペン先２側）及び後端部に着脱自在に装着されるキャップ６とからなる。図４において、キャップ６は軸筒３のペン先２側に装着されている。図５において、キャップ６は軸筒３の後端部に装着されている。
【００４６】
軸筒３の前端にはペン先２が取り付けられる。本実施の形態では、ペン先２は、金属製細管の先端近傍側壁を内方へのポンチ加工によりボール受け座が形成され、該金属製細管の先端にボールが回転可能に抱持されてなるハイプ式ボールペンチップが採用されている。
【００４７】
前記軸筒３は、合成樹脂（例えばポリプロピレン）の射出成形により得られる円筒体である。軸筒３は、前端にペン先２を備えた前軸４と、該前軸４の後方に連設される後軸５とからなる。軸筒３のペン先２側にキャップ６を装着した際、前記前軸４は、キャップ６によって覆われる。前記後軸５は、後方に向かうに従って次第に外径が小さくなる形状を有し、後軸５の前端に軸筒３の最大外径部が位置する。また、前記軸筒３の後端部（後軸５の後端部）外面には、後方に向かうに従い外径が次第に小さくなる形状を有する円錐面状の傾斜面５１が形成される。前記傾斜面５１には、キャップ６の開口部内壁が圧接係止（即ち嵌合）される。
【００４８】
前記キャップ６は、一端が閉塞され且つ他端が開口された有底円筒体であり、合成樹脂（例えばポリカーボネイト）の射出成形により得られる。また、キャップ６の外面には、クリップ６１が合成樹脂により一体に設けられる。尚、前記クリップ６１は金属製であってもよい。
【００４９】
図４に示すように、前記キャップ６を軸筒３のペン先２側に装着したとき、軸筒３の前軸４がキャップ６により覆われる。このとき、筆記具１の全長Ａ（キャップ６閉塞端から軸筒３後端までの長さ）は、本実施の形態では、１０３ｍｍに設定されている。それにより、全体がコンパクトとなり、小型のバッグや容量の小さいポケットに入れても嵩張らず、持ち運びが容易となる。また、図４に示すように、キャップ６を軸筒３のペン先２側に装着した際、キャップ６の開口端部が、軸筒３の最大外径部（後軸５前端）に近接配置され、キャップ６の開口端部の外径は、軸筒３の最大外径部の外径Ｅと略等しく設定されている。それにより、キャップ６開口端部の外面と軸筒３の最大外径部の外面との間に段差が殆ど視覚されないスマートな外観を得る。
【００５０】
本実施の形態では、前記軸筒３の最大外径部の外径Ｅは、１３ｍｍに設定される。前記キャップ６を外した状態の軸筒３の全長Ｂ（ペン先２前端から軸筒３後端までの長さ）は、９０ｍｍに設定される。そして、前記Ｅに対する前記Ｂの比Ｂ／Ｅの値は６．９２となる。それにより、軸筒３の適正な外径を得ることができ、筆記時の安定した把持が可能となる同時に非使用時の携帯性が阻害されるおそれがない。
【００５１】
図５に示すように、前記キャップ６を前記軸筒３の後端部に装着したとき、キャップ６の開口部内壁と軸筒３後端部外面の傾斜面５１とが圧接係合（即ち嵌合）される。また、軸筒３の後端部の外面は、キャップ６を係止するための手段（例えば、段部を介した縮径筒部や、乗り越え嵌合用の突起や凹み等）が存在せず、スマートな外観を得る。
【００５２】
また、本実施の形態では、前記キャップ６を前記軸筒３の後端部に装着したとき、筆記具１の全長Ｃ（ペン先２前端からキャップ６閉塞端までの長さ）は、１２８ｍｍに設定され、前記Ｃが前記Ｂよりも３８ｍｍ長く設定される。それにより、図６に示すように、筆記時、軸筒３の後端部にキャップ６を装着することにより、軸筒３の全長が延長された状態で把持でき、親指と人差し指とにより軸筒３を挟持するとともに、親指と人差し指との間の付け根部により、前記キャップ６の開口部内壁と軸筒３の後端部外面との圧接係合箇所７（即ち嵌合箇所）の外方のキャップ６外面を支持でき、軸筒３の安定した把持が可能となり、ストレスのない心地よい筆記使用感を得る。
【００５３】
また、本実施の形態では、前記キャップ６を前記軸筒３の後端部に装着したとき、軸筒３の後端部がキャップ６内に挿入される長さＤが１６ｍｍに設定される。それにより、キャップ６を軸筒３の後端部に装着した際の全長Ｃを容易に大きく設定できる。
【００５４】
また、本実施の形態では、前記傾斜面５１と軸線とがなす角度αが、およそ４度に設定される。それにより、軸筒３の後端部がキャップ６内に深く挿入されることがなく、十分な全長Ｃを得ることができ、しかも、筆記時の軸筒３の後端部外面とキャップ６の内面との安定した圧接係止が得られ、筆記時にキャップ６が軸筒３の後端部から容易には外れることがない。
【００５５】
また、本実施の形態において、キャップ６を軸筒３後端部に装着したとき、筆記具全体の重心Ｇの前後方向の位置が、前記キャップ６の開口部内壁と軸筒３の後端部外面との圧接係合箇所７（即ち嵌合箇所）とほぼ一致するよう設定される。それにより、筆記時の疲労感の少ない安定した把持が可能となる。
【００５６】
（第３の実施の形態）
本発明の第３の実施の形態の筆記具１を図７乃至図９に示す。
【００５７】
本実施の形態の筆記具１は、軸筒３と、該軸筒３の前端部（ペン先２側）及び後端部に着脱自在に装着されるキャップ６とからなる。図７において、キャップ６は軸筒３のペン先２側に装着されている。図８において、キャップ６は軸筒３の後端部に装着されている。
【００５８】
軸筒３の前端にはペン先２が取り付けられる。本実施の形態では、ペン先２は、切削加工により得られる金属製本体の先端にボールが回転可能に抱持されてなるボールペンチップが採用されている。
【００５９】
前記軸筒３は、合成樹脂（例えばポリプロピレン）の射出成形により得られる円筒体である。軸筒３は、前端にペン先２を備えた前軸４と、該前軸４の後方に連設される後軸５とからなる。軸筒３のペン先２側にキャップ６を装着した際、前記前軸４は、キャップ６によって覆われる。前記後軸５は、後方に向かうに従って次第に外径が小さくなる形状を有し、後軸５の前端に軸筒３の最大外径部が位置する。また、前記軸筒３の後端部（後軸５の後端部）外面には、後方に向かうに従い外径が次第に小さくなる形状を有する円錐面状の傾斜面５１が形成される。前記傾斜面５１には、キャップ６の開口部内壁が圧接係止（即ち嵌合）される。
【００６０】
前記キャップ６は、一端が閉塞され且つ他端が開口された有底円筒体であり、合成樹脂（例えばポリカーボネイト）の射出成形により得られる。また、キャップ６の外面には、クリップ６１が合成樹脂により一体に設けられる。尚、前記クリップ６１は金属製であってもよい。
【００６１】
図７に示すように、前記キャップ６を軸筒３のペン先２側に装着したとき、軸筒３の前軸４がキャップ６により覆われる。このとき、筆記具１の全長Ａ（キャップ６閉塞端から軸筒３後端までの長さ）は、本実施の形態では、１０３ｍｍに設定されている。それにより、全体がコンパクトとなり、小型のバッグや容量の小さいポケットに入れても嵩張らず、持ち運びが容易となる。また、図７に示すように、キャップ６を軸筒３のペン先２側に装着した際、キャップ６の開口端部が、軸筒３の最大外径部（後軸５前端）に近接配置され、キャップ６の開口端部の外径は、軸筒３の最大外径部の外径Ｅと略等しく設定されている。それにより、キャップ６開口端部の外面と軸筒３の最大外径部の外面との間に段差が殆ど視覚されないスマートな外観を得る。
【００６２】
本実施の形態では、前記軸筒３の最大外径部の外径Ｅは、１３ｍｍに設定される。前記キャップ６を外した状態の軸筒３の全長Ｂ（ペン先２前端から軸筒３後端までの長さ）は、９０ｍｍに設定される。そして、前記Ｅに対する前記Ｂの比Ｂ／Ｅの値は６．９２となる。それにより、軸筒３の適正な外径を得ることができ、筆記時の安定した把持が可能となる同時に非使用時の携帯性が阻害されるおそれがない。
【００６３】
図８に示すように、前記キャップ６を前記軸筒３の後端部に装着したとき、キャップ６の開口部内壁と軸筒３後端部外面の傾斜面５１とが圧接係合（即ち嵌合）される。また、軸筒３の後端部の外面は、キャップ６を係止するための手段（例えば、段部を介した縮径筒部や、乗り越え嵌合用の突起や凹み等）が存在せず、スマートな外観を得る。
【００６４】
また、本実施の形態では、前記キャップ６を前記軸筒３の後端部に装着したとき、筆記具１の全長Ｃ（ペン先２前端からキャップ６閉塞端までの長さ）は、１２８ｍｍに設定され、前記Ｃが前記Ｂよりも３８ｍｍ長く設定される。それにより、図９に示すように、筆記時、軸筒３の後端部にキャップ６を装着することにより、軸筒３の全長が延長された状態で把持でき、親指と人差し指とにより軸筒３を挟持するとともに、親指と人差し指との間の付け根部により、前記キャップ６の開口部内壁と軸筒３の後端部外面との圧接係合箇所７（即ち嵌合箇所）の外方のキャップ６外面を支持でき、軸筒３の安定した把持が可能となり、ストレスのない心地よい筆記使用感を得る。
【００６５】
また、本実施の形態では、前記キャップ６を前記軸筒３の後端部に装着したとき、軸筒３の後端部がキャップ６内に挿入される長さＤが１６ｍｍに設定される。それにより、キャップ６を軸筒３の後端部に装着した際の全長Ｃを容易に大きく設定できる。
【００６６】
また、本実施の形態では、前記傾斜面５１と軸線とがなす角度αが、およそ４度に設定される。それにより、軸筒３の後端部がキャップ６内に深く挿入されることがなく、十分な全長Ｃを得ることができ、しかも、筆記時の軸筒３の後端部外面とキャップ６の内面との安定した圧接係止が得られ、筆記時にキャップ６が軸筒３の後端部から容易には外れることがない。
【００６７】
また、本実施の形態において、キャップ６を軸筒３後端部に装着したとき、筆記具全体の重心Ｇの前後方向の位置が、前記キャップ６の開口部内壁と軸筒３の後端部外面との圧接係合箇所７（即ち嵌合箇所）よりも前方に位置するよう設定される。具体的には、前記キャップ６を軸筒３後端部に装着したときの筆記具全体の重心Ｇは、前記圧接係合箇所７の前端よりも５ｍｍ前方に位置される。それにより、筆記時の疲労感の少ない安定した把持が可能となる。
【００６８】
（第４の実施の形態）
本発明の第４の実施の形態の筆記具１を図１０乃至図１２に示す。
【００６９】
本実施の形態の筆記具１は、軸筒３と、該軸筒３の前端部（ペン先２側）及び後端部に着脱自在に装着されるキャップ６とからなる。図１０において、キャップ６は軸筒３のペン先２側に装着されている。図１１において、キャップ６は軸筒３の後端部に装着されている。
【００７０】
軸筒３の前端にはペン先２が取り付けられる。本実施の形態では、前記ペン先は、前端をチゼル状に研削した合成樹脂製繊維の樹脂加工体からなる。
【００７１】
前記軸筒３は、合成樹脂（例えばポリプロピレン）の射出成形により得られる円筒体である。軸筒３は、前端にペン先２を備えた前軸４と、該前軸４の後方に連設される後軸５とからなる。軸筒３のペン先２側にキャップ６を装着した際、前記前軸４は、キャップ６によって覆われる。前記後軸５は、後方に向かうに従って次第に外径が小さくなる形状を有し、後軸５の前端に軸筒３の最大外径部が位置する。また、前記軸筒３の後端部（後軸５の後端部）外面には、後方に向かうに従い外径が次第に小さくなる形状を有する円錐面状の傾斜面５１が形成される。前記傾斜面５１には、キャップ６の開口部内壁が圧接係止（即ち嵌合）される。
【００７２】
前記キャップ６は、一端が閉塞され且つ他端が開口された有底円筒体であり、合成樹脂（例えばポリカーボネイト）の射出成形により得られる。また、キャップ６の外面には、クリップ６１が合成樹脂により一体に設けられる。尚、前記クリップ６１は金属製であってもよい。
【００７３】
図１０に示すように、前記キャップ６を軸筒３のペン先２側に装着したとき、軸筒３の前軸４がキャップ６により覆われる。このとき、筆記具１の全長Ａ（キャップ６閉塞端から軸筒３後端までの長さ）は、本実施の形態では、１０３ｍｍに設定されている。それにより、全体がコンパクトとなり、小型のバッグや容量の小さいポケットに入れても嵩張らず、持ち運びが容易となる。また、図１０に示すように、キャップ６を軸筒３のペン先２側に装着した際、キャップ６の開口端部が、軸筒３の最大外径部（後軸５前端）に近接配置され、キャップ６の開口端部の外径は、軸筒３の最大外径部の外径Ｅと略等しく設定されている。それにより、キャップ６開口端部の外面と軸筒３の最大外径部の外面との間に段差が殆ど視覚されないスマートな外観を得る。
【００７４】
本実施の形態では、前記軸筒３の最大外径部の外径Ｅは、１３ｍｍに設定される。前記キャップ６を外した状態の軸筒３の全長Ｂ（ペン先２前端から軸筒３後端までの長さ）は、９０ｍｍに設定される。そして、前記Ｅに対する前記Ｂの比Ｂ／Ｅの値は６．９２となる。それにより、軸筒３の適正な外径を得ることができ、筆記時の安定した把持が可能となる同時に非使用時の携帯性が阻害されるおそれがない。
【００７５】
図１１に示すように、前記キャップ６を前記軸筒３の後端部に装着したとき、キャップ６の開口部内壁と軸筒３後端部外面の傾斜面５１とが圧接係合（即ち嵌合）される。また、軸筒３の後端部の外面は、キャップ６を係止するための手段（例えば、段部を介した縮径筒部や、乗り越え嵌合用の突起や凹み等）が存在せず、スマートな外観を得る。
【００７６】
また、本実施の形態では、前記キャップ６を前記軸筒３の後端部に装着したとき、筆記具１の全長Ｃ（ペン先２前端からキャップ６閉塞端までの長さ）は、１２８ｍｍに設定され、前記Ｃが前記Ｂよりも３８ｍｍ長く設定される。それにより、図１２に示すように、筆記時、軸筒３の後端部にキャップ６を装着することにより、軸筒３の全長が延長された状態で把持でき、親指と人差し指とにより軸筒３を挟持するとともに、親指と人差し指との間の付け根部により、前記キャップ６の開口部内壁と軸筒３の後端部外面との圧接係合箇所７（即ち嵌合箇所）の外方のキャップ６外面を支持でき、軸筒３の安定した把持が可能となり、ストレスのない心地よい筆記使用感を得る。
【００７７】
また、本実施の形態では、前記キャップ６を前記軸筒３の後端部に装着したとき、軸筒３の後端部がキャップ６内に挿入される長さＤが１６ｍｍに設定される。それにより、キャップ６を軸筒３の後端部に装着した際の全長Ｃを容易に大きく設定できる。
【００７８】
また、本実施の形態では、前記傾斜面５１と軸線とがなす角度αが、およそ４度に設定される。それにより、軸筒３の後端部がキャップ６内に深く挿入されることがなく、十分な全長Ｃを得ることができ、しかも、筆記時の軸筒３の後端部外面とキャップ６の内面との安定した圧接係止が得られ、筆記時にキャップ６が軸筒３の後端部から容易には外れることがない。
【００７９】
また、本実施の形態において、キャップ６を軸筒３後端部に装着したとき、筆記具全体の重心Ｇの前後方向の位置が、前記キャップ６の開口部内壁と軸筒３の後端部外面との圧接係合箇所７（即ち嵌合箇所）よりも前方に位置するよう設定される。具体的には、前記キャップを軸筒後端部に装着したときの筆記具全体の重心Ｇは、前記圧接係合箇所７の前端よりも２ｍｍ前方に位置される。それにより、筆記時の疲労感の少ない安定した把持が可能となる。
【００８０】
（第５の実施の形態）
本発明の第５の実施の形態の筆記具１を図１３乃至図１５に示す。
【００８１】
本実施の形態の筆記具１は、軸筒３と、該軸筒３の前端部（ペン先２側）及び後端部に着脱自在に装着されるキャップ６とからなる。図１３において、キャップ６は軸筒３のペン先２側に装着されている。図１４において、キャップ６は軸筒３の後端部に装着されている。
【００８２】
軸筒３の前端にはペン先２が取り付けられる。本実施の形態では、ペン先２は、前端が球面状に形成された繊維加工体または多孔質体が採用されている。
【００８３】
前記軸筒３は、合成樹脂（例えばポリプロピレン）の射出成形により得られる円筒体である。軸筒３は、前端にペン先２を備えた前軸４と、該前軸４の後方に連設される後軸５とからなる。軸筒３のペン先２側にキャップ６を装着した際、前記前軸４は、キャップ６によって覆われる。前記後軸５は、後方に向かうに従って次第に外径が小さくなる形状を有し、後軸５の前端に軸筒３の最大外径部が位置する。また、前記軸筒３の後端部（後軸５の後端部）外面には、後方に向かうに従い外径が次第に小さくなる形状を有する円錐面状の傾斜面５１が形成される。前記傾斜面５１には、キャップ６の開口部内壁が圧接係止（即ち嵌合）される。
【００８４】
前記キャップ６は、一端が閉塞され且つ他端が開口された有底円筒体であり、合成樹脂（例えばポリカーボネイト）の射出成形により得られる。また、キャップ６の外面には、クリップ６１が合成樹脂により一体に設けられる。尚、前記クリップ６１は金属製であってもよい。
【００８５】
図１３に示すように、前記キャップ６を軸筒３のペン先２側に装着したとき、軸筒３の前軸４がキャップ６により覆われる。このとき、筆記具１の全長Ａ（キャップ６閉塞端から軸筒３後端までの長さ）は、本実施の形態では、１０３ｍｍに設定されている。それにより、全体がコンパクトとなり、小型のバッグや容量の小さいポケットに入れても嵩張らず、持ち運びが容易となる。また、図１３に示すように、キャップ６を軸筒３のペン先２側に装着した際、キャップ６の開口端部が、軸筒３の最大外径部（後軸５前端）に近接配置され、キャップ６の開口端部の外径は、軸筒３の最大外径部の外径Ｅと略等しく設定されている。それにより、キャップ６開口端部の外面と軸筒３の最大外径部の外面との間に段差が殆ど視覚されないスマートな外観を得る。
【００８６】
本実施の形態では、前記軸筒３の最大外径部の外径Ｅは、１３ｍｍに設定される。前記キャップ６を外した状態の軸筒３の全長Ｂ（ペン先２前端から軸筒３後端までの長さ）は、９０ｍｍに設定される。そして、前記Ｅに対する前記Ｂの比Ｂ／Ｅの値は６．９２となる。それにより、軸筒３の適正な外径を得ることができ、筆記時の安定した把持が可能となる同時に非使用時の携帯性が阻害されるおそれがない。
【００８７】
図１４に示すように、前記キャップ６を前記軸筒３の後端部に装着したとき、キャップ６の開口部内壁と軸筒３後端部外面の傾斜面５１とが圧接係合（即ち嵌合）される。また、軸筒３の後端部の外面は、キャップ６を係止するための手段（例えば、段部を介した縮径筒部や、乗り越え嵌合用の突起や凹み等）が存在せず、スマートな外観を得る。
【００８８】
また、本実施の形態では、前記キャップ６を前記軸筒３の後端部に装着したとき、筆記具１の全長Ｃ（ペン先２前端からキャップ６閉塞端までの長さ）は、１２８ｍｍに設定され、前記Ｃが前記Ｂよりも３８ｍｍ長く設定される。それにより、図１５に示すように、筆記時、軸筒３の後端部にキャップ６を装着することにより、軸筒３の全長が延長された状態で把持でき、親指と人差し指とにより軸筒３を挟持するとともに、親指と人差し指との間の付け根部により、前記キャップ６の開口部内壁と軸筒３の後端部外面との圧接係合箇所７（即ち嵌合箇所）の外方のキャップ６外面を支持でき、軸筒３の安定した把持が可能となり、ストレスのない心地よい筆記使用感を得る。
【００８９】
また、本実施の形態では、前記キャップ６を前記軸筒３の後端部に装着したとき、軸筒３の後端部がキャップ６内に挿入される長さＤが１６ｍｍに設定される。それにより、キャップ６を軸筒３の後端部に装着した際の全長Ｃを容易に大きく設定できる。
【００９０】
また、本実施の形態では、前記傾斜面５１と軸線とがなす角度αが、およそ４度に設定される。それにより、軸筒３の後端部がキャップ６内に深く挿入されることがなく、十分な全長Ｃを得ることができ、しかも、筆記時の軸筒３の後端部外面とキャップ６の内面との安定した圧接係止が得られ、筆記時にキャップ６が軸筒３の後端部から容易には外れることがない。
【００９１】
また、本実施の形態において、キャップ６を軸筒３後端部に装着したとき、筆記具全体の重心Ｇの前後方向の位置が、前記キャップ６の開口部内壁と軸筒３の後端部外面との圧接係合箇所７（即ち嵌合箇所）よりも前方に位置するよう設定される。具体的には、前記キャップを軸筒後端部に装着したときの筆記具全体の重心Ｇは、前記圧接係合箇所７の前端よりも２ｍｍ前方に位置される。それにより、筆記時の疲労感の少ない安定した把持が可能となる。
【００９２】
（第６の実施の形態）
本発明の第６の実施の形態の筆記具１を図１６乃至図１８に示す。
【００９３】
本実施の形態の筆記具１は、軸筒３と、該軸筒３の前端部（ペン先２側）及び後端部に着脱自在に装着されるキャップ６とからなる。図１６において、キャップ６は軸筒３のペン先２側に装着されている。図１７において、キャップ６は軸筒３の後端部に装着されている。
【００９４】
軸筒３の前端にはペン先２が取り付けられる。本実施の形態では、ペン先２は、毛細管力を有する軸方向のインキ導出路を備えた合成樹脂の押出成形体よりなる。
【００９５】
前記軸筒３は、合成樹脂（例えばポリプロピレン）の射出成形により得られる円筒体である。軸筒３は、前端にペン先２を備えた前軸４と、該前軸４の後方に連設される後軸５とからなる。軸筒３のペン先２側にキャップ６を装着した際、前記前軸４は、キャップ６によって覆われる。前記後軸５は、後方に向かうに従って次第に外径が小さくなる形状を有し、後軸５の前端に軸筒３の最大外径部が位置する。また、前記軸筒３の後端部（後軸５の後端部）外面には、後方に向かうに従い外径が次第に小さくなる形状を有する円錐面状の傾斜面５１が形成される。前記傾斜面５１には、キャップ６の開口部内壁が圧接係止（即ち嵌合）される。
【００９６】
前記キャップ６は、一端が閉塞され且つ他端が開口された有底円筒体であり、合成樹脂（例えばポリカーボネイト）の射出成形により得られる。また、キャップ６の外面には、クリップ６１が合成樹脂により一体に設けられる。尚、前記クリップ６１は金属製であってもよい。
【００９７】
図１６に示すように、前記キャップ６を軸筒３のペン先２側に装着したとき、軸筒３の前軸４がキャップ６により覆われる。このとき、筆記具１の全長Ａ（キャップ６閉塞端から軸筒３後端までの長さ）は、本実施の形態では、１０３ｍｍに設定されている。それにより、全体がコンパクトとなり、小型のバッグや容量の小さいポケットに入れても嵩張らず、持ち運びが容易となる。また、図１６に示すように、キャップ６を軸筒３のペン先２側に装着した際、キャップ６の開口端部が、軸筒３の最大外径部（後軸５前端）に近接配置され、キャップ６の開口端部の外径は、軸筒３の最大外径部の外径Ｅと略等しく設定されている。それにより、キャップ６開口端部の外面と軸筒３の最大外径部の外面との間に段差が殆ど視覚されないスマートな外観を得る。
【００９８】
本実施の形態では、前記軸筒３の最大外径部の外径Ｅは、１３ｍｍに設定される。前記キャップ６を外した状態の軸筒３の全長Ｂ（ペン先２前端から軸筒３後端までの長さ）は、９０ｍｍに設定される。そして、前記Ｅに対する前記Ｂの比Ｂ／Ｅの値は６．９２となる。それにより、軸筒３の適正な外径を得ることができ、筆記時の安定した把持が可能となる同時に非使用時の携帯性が阻害されるおそれがない。
【００９９】
図１７に示すように、前記キャップ６を前記軸筒３の後端部に装着したとき、キャップ６の開口部内壁と軸筒３後端部外面の傾斜面５１とが圧接係合（即ち嵌合）される。また、軸筒３の後端部の外面は、キャップ６を係止するための手段（例えば、段部を介した縮径筒部や、乗り越え嵌合用の突起や凹み等）が存在せず、スマートな外観を得る。
【０１００】
また、本実施の形態では、前記キャップ６を前記軸筒３の後端部に装着したとき、筆記具１の全長Ｃ（ペン先２前端からキャップ６閉塞端までの長さ）は、１２８ｍｍに設定され、前記Ｃが前記Ｂよりも３８ｍｍ長く設定される。それにより、図１８に示すように、筆記時、軸筒３の後端部にキャップ６を装着することにより、軸筒３の全長が延長された状態で把持でき、親指と人差し指とにより軸筒３を挟持するとともに、親指と人差し指との間の付け根部により、前記キャップ６の開口部内壁と軸筒３の後端部外面との圧接係合箇所７（即ち嵌合箇所）の外方のキャップ６外面を支持でき、軸筒３の安定した把持が可能となり、ストレスのない心地よい筆記使用感を得る。
【０１０１】
また、本実施の形態では、前記キャップ６を前記軸筒３の後端部に装着したとき、軸筒３の後端部がキャップ６内に挿入される長さＤが１６ｍｍに設定される。それにより、キャップ６を軸筒３の後端部に装着した際の全長Ｃを容易に大きく設定できる。
【０１０２】
また、本実施の形態では、前記傾斜面５１と軸線とがなす角度αが、およそ４度に設定される。それにより、軸筒３の後端部がキャップ６内に深く挿入されることがなく、十分な全長Ｃを得ることができ、しかも、筆記時の軸筒３の後端部外面とキャップ６の内面との安定した圧接係止が得られ、筆記時にキャップ６が軸筒３の後端部から容易には外れることがない。
【０１０３】
また、本実施の形態において、キャップ６を軸筒３後端部に装着したとき、筆記具全体の重心Ｇの前後方向の位置が、前記キャップ６の開口部内壁と軸筒３の後端部外面との圧接係合箇所７（即ち嵌合箇所）とほぼ一致するよう設定される。それにより、筆記時の疲労感の少ない安定した把持が可能となる。
【０１０４】
（第７の実施の形態）
本発明の第７の実施の形態の筆記具１を図１９乃至図２１に示す。
【０１０５】
本実施の形態の筆記具１は、軸筒３と、該軸筒３の前端部（ペン先２側）及び後端部に着脱自在に装着されるキャップ６とからなる。図１９において、キャップ６は軸筒３のペン先２側に装着されている。図２０において、キャップ６は軸筒３の後端部に装着されている。
【０１０６】
軸筒３の前端にはペン先２が取り付けられる。本実施の形態では、ペン先２は、前端が毛筆状に形成された多孔質体または繊維加工体よりなる。
【０１０７】
前記軸筒３は、合成樹脂（例えばポリプロピレン）の射出成形により得られる円筒体である。軸筒３は、前端にペン先２を備えた前軸４と、該前軸４の後方に連設される後軸５とからなる。軸筒３のペン先２側にキャップ６を装着した際、前記前軸４は、キャップ６によって覆われる。前記後軸５は、後方に向かうに従って次第に外径が小さくなる形状を有し、後軸５の前端に軸筒３の最大外径部が位置する。また、前記軸筒３の後端部（後軸５の後端部）外面には、後方に向かうに従い外径が次第に小さくなる形状を有する円錐面状の傾斜面５１が形成される。前記傾斜面５１には、キャップ６の開口部内壁が圧接係止（即ち嵌合）される。
【０１０８】
前記キャップ６は、一端が閉塞され且つ他端が開口された有底円筒体であり、合成樹脂（例えばポリカーボネイト）の射出成形により得られる。また、キャップ６の外面には、クリップ６１が合成樹脂により一体に設けられる。尚、前記クリップ６１は金属製であってもよい。
【０１０９】
図１９に示すように、前記キャップ６を軸筒３のペン先２側に装着したとき、軸筒３の前軸４がキャップ６により覆われる。このとき、筆記具１の全長Ａ（キャップ６閉塞端から軸筒３後端までの長さ）は、本実施の形態では、１０３ｍｍに設定されている。それにより、全体がコンパクトとなり、小型のバッグや容量の小さいポケットに入れても嵩張らず、持ち運びが容易となる。また、図１９に示すように、キャップ６を軸筒３のペン先２側に装着した際、キャップ６の開口端部が、軸筒３の最大外径部（後軸５前端）に近接配置され、キャップ６の開口端部の外径は、軸筒３の最大外径部の外径Ｅと略等しく設定されている。それにより、キャップ６開口端部の外面と軸筒３の最大外径部の外面との間に段差が殆ど視覚されないスマートな外観を得る。
【０１１０】
本実施の形態では、前記軸筒３の最大外径部の外径Ｅは、１３ｍｍに設定される。前記キャップ６を外した状態の軸筒３の全長Ｂ（ペン先２前端から軸筒３後端までの長さ）は、９０ｍｍに設定される。そして、前記Ｅに対する前記Ｂの比Ｂ／Ｅの値は６．９２となる。それにより、軸筒３の適正な外径を得ることができ、筆記時の安定した把持が可能となる同時に非使用時の携帯性が阻害されるおそれがない。
【０１１１】
図２０に示すように、前記キャップ６を前記軸筒３の後端部に装着したとき、キャップ６の開口部内壁と軸筒３後端部外面の傾斜面５１とが圧接係合（即ち嵌合）される。また、軸筒３の後端部の外面は、キャップ６を係止するための手段（例えば、段部を介した縮径筒部や、乗り越え嵌合用の突起や凹み等）が存在せず、スマートな外観を得る。
【０１１２】
また、本実施の形態では、前記キャップ６を前記軸筒３の後端部に装着したとき、筆記具１の全長Ｃ（ペン先２前端からキャップ６閉塞端までの長さ）は、１２８ｍｍに設定され、前記Ｃが前記Ｂよりも３８ｍｍ長く設定される。それにより、図２１に示すように、筆記時、軸筒３の後端部にキャップ６を装着することにより、軸筒３の全長が延長された状態で把持でき、親指と人差し指とにより軸筒３を挟持するとともに、親指と人差し指との間の付け根部により、前記キャップ６の開口部内壁と軸筒３の後端部外面との圧接係合箇所７（即ち嵌合箇所）の外方のキャップ６外面を支持でき、軸筒３の安定した把持が可能となり、ストレスのない心地よい筆記使用感を得る。
【０１１３】
また、本実施の形態では、前記キャップ６を前記軸筒３の後端部に装着したとき、軸筒３の後端部がキャップ６内に挿入される長さＤが１６ｍｍに設定される。それにより、キャップ６を軸筒３の後端部に装着した際の全長Ｃを容易に大きく設定できる。
【０１１４】
また、本実施の形態では、前記傾斜面５１と軸線とがなす角度αが、およそ４度に設定される。それにより、軸筒３の後端部がキャップ６内に深く挿入されることがなく、十分な全長Ｃを得ることができ、しかも、筆記時の軸筒３の後端部外面とキャップ６の内面との安定した圧接係止が得られ、筆記時にキャップ６が軸筒３の後端部から容易には外れることがない。
【０１１５】
また、本実施の形態において、キャップ６を軸筒３後端部に装着したとき、筆記具全体の重心Ｇの前後方向の位置が、前記キャップ６の開口部内壁と軸筒３の後端部外面との圧接係合箇所７（即ち嵌合箇所）よりも前方に位置するよう設定される。具体的には、前記キャップを軸筒後端部に装着したときの筆記具全体の重心Ｇは、前記圧接係合箇所の前端よりも２ｍｍ前方に位置される。それにより、筆記時の疲労感の少ない安定した把持が可能となる。
【図面の簡単な説明】
【０１１６】
【図１】本発明の第1の実施の形態においてキャップをペン先側に装着した状態を示す図である。
【図２】図１の筆記具においてキャップを軸筒の後端部に装着した状態を示す図である。
【図３】図１の筆記具を筆記時に把持した状態を示す斜視図である。
【図４】本発明の第２の実施の形態においてキャップをペン先側に装着した状態を示す図である。
【図５】図４の筆記具においてキャップを軸筒の後端部に装着した状態を示す図である。
【図６】図４の筆記具を筆記時に把持した状態を示す斜視図である。
【図７】本発明の第３の実施の形態においてキャップをペン先側に装着した状態を示す図である。
【図８】図７の筆記具においてキャップを軸筒の後端部に装着した状態を示す図である。
【図９】図７の筆記具を筆記時に把持した状態を示す斜視図である。
【図１０】本発明の第４の実施の形態においてキャップをペン先側に装着した状態を示す図である。
【図１１】図１０の筆記具においてキャップを軸筒の後端部に装着した状態を示す図である。
【図１２】図１０の筆記具を筆記時に把持した状態を示す斜視図である。
【図１３】本発明の第５の実施の形態においてキャップをペン先側に装着した状態を示す図である。
【図１４】図１３の筆記具においてキャップを軸筒の後端部に装着した状態を示す図である。
【図１５】図１３の筆記具を筆記時に把持した状態を示す斜視図である。
【図１６】本発明の第６の実施の形態においてキャップをペン先側に装着した状態を示す図である。
【図１７】図１６の筆記具においてキャップを軸筒の後端部に装着した状態を示す図である。
【図１８】図１６の筆記具を筆記時に把持した状態を示す斜視図である。
【図１９】本発明の第７の実施の形態においてキャップをペン先側に装着した状態を示す図である。
【図２０】図１９の筆記具においてキャップを軸筒の後端部に装着した状態を示す図である。
【図２１】図１９の筆記具を筆記時に把持した状態を示す斜視図である。
【符号の説明】
【０１１７】
１  筆記具
２  ペン先
３  軸筒
４  前軸
５  後軸
５１  傾斜面
６  キャップ
６１  クリップ
７  嵌合箇所（圧接係合箇所）
Ａ  軸筒のペン先側にキャップを装着した状態の筆記具の全長
Ｂ  キャップを外した状態の軸筒の全長
Ｃ  キャップを軸筒の後端部に装着した状態の筆記具の全長
Ｄ  軸筒の後端部がキャップ内に挿入される長さ
Ｅ  軸筒の最大外径
Ｇ  重心
α  傾斜面と軸線とのなす角度
【図１】
2006264295.tif 000003
【図２】
2006264295.tif 000004
【図３】
2006264295.tif 000005
【図４】
2006264295.tif 000006
【図５】
2006264295.tif 000007
【図６】
2006264295.tif 000008
【図７】
2006264295.tif 000009
【図８】
2006264295.tif 000010
【図９】
2006264295.tif 000011
【図１０】
2006264295.tif 000012
【図１１】
2006264295.tif 000013
【図１２】
2006264295.tif 000014
【図１３】
2006264295.tif 000015
【図１４】
2006264295.tif 000016
【図１５】
2006264295.tif 000017
【図１６】
2006264295.tif 000018
【図１７】
2006264295.tif 000019
【図１８】
2006264295.tif 000020
【図１９】
2006264295.tif 000021
【図２０】
2006264295.tif 000022
【図２１】
2006264295.tif 000023